(57)【要約】      （修正有）【課題】市販品不織布マスクを格納することが可能であり、格納した市販品不織布マスクの耳紐が口元に来て不快感が生じることがないマスクを提供する。【解決手段】布製やウレタン製等のマスク本体部２に格納部３を設置したマスク１であって、格納部３に格納した市販品不織布マスク７の耳紐８ａ、８ｂを、格納部３から外に引き出すための耳紐引出部４ａ、４ｂから引き出す。続いて、耳紐引出部４ａ、４ｂから引き出された耳紐８ａ、８ｂを、マスク本体部２と耳紐固定部５ａ、５ｂの隙間に通すことで、耳紐８ａ、８ｂを固定する。【選択図】図２
0003233013.tif 000002
【実用新案登録請求の範囲】
【請求項１】
布製やウレタン製等のマスク本体に格納部を設置したマスクであって、格納部に格納した市販品不織布マスク等の耳紐を、格納部から外に引き出すための耳紐引出部を有していることを特徴とするマスク
【請求項２】
前記のマスクに、耳紐固定部を有しており、マスク本体と耳紐固定部の隙間に、格納部に格納され耳紐引出部から引き出された市販品不織布マスク等の耳紐を通すことで、耳紐を固定可能であることを特徴とする請求項１記載のマスク
【考案の詳細な説明】
【技術分野】
【０００１】
本考案は、マスクに関するものであり、特に市販品不織布マスク等をマスク本体へ装備し、装備した市販品不織布マスク等の耳紐をマスク本体に固定することができるマスクに関する。
【背景技術】
【０００２】
ウイルスや花粉、空気中の飛沫や微粒子などの吸引を防ぐ目的や、防寒対策を目的に、マスクが使用されている。
【０００３】
マスク本体に別の素材を装備するための技術として、マスク本体にフィルター効果を有する素材等を収納することも可能な収納室を設ける技術が知られている（非特許文献１参照）。
【０００４】
また、接触冷感を用いた生地の２層マスクであり、内側両端に切れ目を入れて医療現場でも使われる不織布シート等、物質を捉えて広がりを抑えるものを挟む技術が知られている（非特許文献２参照）。
【先行技術文献】
【非特許文献】
【０００５】
【非特許文献１】実願２０２０−００３６８４号公報
【非特許文献２】実願２０２０−００２１０１号公報
【考案の概要】
【考案が解決しようとする課題】
【０００６】
布製やウレタン製等のマスクは、様々な柄やデザインを施すことが容易であるため、ファッション性に優れているほか、洗濯して何度も再利用することが可能である。
【０００７】
しかしながら、布製やウレタン製等のマスクは、マスク本体にフィルター素材を有していないことが多いため、ウイルスや花粉、空気中の飛沫や微粒子などの吸引を防ぐ効果が、市販品不織布マスク等のフィルター素材を有するマスクと比較して優れていないという問題がある。
【０００８】
また、布製やウレタン製等のマスク本体に収納スペースを設置し、市販品不織布マスク等を格納した場合、格納した市販品不織布マスク等にずれが生じるほか、市販品不織布マスク等を格納した状態で装着した場合に、格納した市販品不織布マスク等の耳紐が口元に来て不快感が生じる等の問題もある。
【０００９】
１つの側面で、本考案は布製やウレタン製等のマスク本体に市販品不織布マスク等を装備することで、ウイルスや花粉、空気中の飛沫や微粒子などの吸引を防ぐ効果を高めることを目的とすると同時に、装備した市販品不織布マスク等の耳紐をマスク本体に固定することで、耳紐が口元に来て不快感が生じないようにすることを目的とする。
【課題を解決するための手段】
【００１０】
上記目的を達成するために、開示の二重装着支援マスクが提供される。この二重装着支援マスクは、本体部と格納部、耳紐引出部、耳紐固定部を有している。
【００１１】
本体部は、布製やウレタン製等のマスク本体である。
【００１２】
格納部は、本体部に縫合や接着等の方法で固定された開口部を有した形状であり、本体部と格納部の隙間に、開口部から市販品不織布マスク等を挿入して格納する。なお、格納部は、本体部を構成する素材を折り曲げるなどの方法で構成しても良い。
【００１３】
この格納部には、格納部に格納された市販品不織布マスク等の耳紐を、格納部から外に出す耳紐引出部を有していることを特徴とする。
【００１４】
また、本体部には耳紐固定部が縫合や接着等の方法で固定されており、本体部と耳紐固定部の隙間に、耳紐引出部から引き出された、格納部に格納されている市販品不織布マスク等の耳紐を通すことで、格納部に格納された市販品不織布マスク等の耳紐を固定することができることを特徴とする。
【考案の効果】
【００１５】
一態様では、布製やウレタン製等のマスク本体に収納スペースを設置し、市販品不織布マスク等を格納した場合において、ウイルスや花粉、空気中の飛沫や微粒子などの吸引を防ぐ効果を高めることを目的とする。
【００１６】
同時に、格納した市販品不織布マスク等の耳紐を格納部から外に引き出して本体部に固定することで、格納した市販品不織布マスク等にずれが生じにくくなるほか、耳紐が口元に来なくなり不快感を生じにくくすることが可能になる。
【００１７】
もちろん、市販品不織布マスク等を格納せずに使用することも可能である。
【図面の簡単な説明】
【００１８】
【図１】本考案の二重装着支援マスクの一実施例を示す図である。
【図２】本考案の二重装着支援マスクの一実施例に、市販品不織布マスク等を格納した状態を示す図である。
【考案を実施するための形態】
【００１９】
以下、実施の形態の二重装着支援マスクを、図面を参照して詳細に説明する。
＜実施の形態＞
図１は、本考案の二重装着支援マスクの一実施例を示す図である。図２は、本考案の二重装着支援マスクの一実施例に、市販品不織布マスク等を格納した状態を示す図である。
【００２０】
実施の形態の二重装着支援マスク１は、本体部２、格納部３、耳紐引出部４ａおよび４ｂ、耳紐固定部５ａおよび５ｂを有している。
【００２１】
本体部２は、布製やウレタン製等のマスク本体を構成する。
【００２２】
格納部３は、本体部２に縫合や接着等の方法で固定された開口部６を有した形状であり、本体部２と格納部３の隙間に、開口部６から市販品不織布マスク等７を挿入して格納する。なお、格納部３は、本体部２を構成する素材を折り曲げるなどの方法で構成した形態でも良い。
【００２３】
耳紐引出部４ａおよび４ｂは、本体部２と格納部３の接合面に設けられた接合されていない隙間である。格納部３に格納された市販品不織布マスク等７の耳紐８ａおよび８ｂを耳紐引出部４ａおよび４ｂから引き出す。
【００２４】
耳紐固定部５ａおよび５ｂは、本体部２に縫合や接着等の方法で固定されている。耳紐引出部４ａおよび４ｂから引き出された耳紐８ａおよび８ｂを、耳紐固定部５ａおよび５ｂと本体部２との隙間に通すことで、その摩擦力により耳紐８ａおよび８ｂが本体部２に固定される。
【００２５】
本体部２上における耳紐引出部４ａおよび４ｂと耳紐固定部５ａおよび５ｂの位置関係は問わない。また、耳紐引出部４ａと耳紐固定部５ａ、耳紐引出部４ｂと耳紐固定部５ｂが一体形状となっている構成の形態でも良い。
【００２６】
以上、本考案の二重装着支援マスクを、図示の実施の形態に基づいて説明したが、本考案はこれに限定されるものではなく、各部の構成は、同様の機能を有する任意の構成のものに置換することができる。また、本考案に、他の任意の構成物や工程が付加されていてもよい。
【００２７】
また、本考案は、前述した各実施の形態のうちの、任意の２以上の構成（特徴）を組み合わせたものであってもよい。
【符号の説明】
【００２８】
１  二重装着支援マスク
２  本体部
３  格納部
４ａ、４ｂ  耳紐引出部
５ａ、５ｂ  耳紐固定部
６  開口部
７  市販品不織布マスク等
８ａ、８ｂ  市販品不織布マスク等の耳紐
【図１】
0003233013.tif 000003
【図２】
0003233013.tif 000004
【手続補正書】
【提出日】令和3年5月16日(2021.5.16)
【手続補正１】
【補正対象書類名】実用新案登録請求の範囲
【補正対象項目名】全文
【補正方法】変更
【補正の内容】
【実用新案登録請求の範囲】
【請求項１】
マスク本体に格納部を設置したマスクであって、格納部に格納した市販品不織布マスクの耳紐を、格納部から外に引き出すための耳紐引出部を有していることを特徴とするマスク
【請求項２】
前記のマスクに、耳紐固定部を有しており、マスク本体と耳紐固定部の隙間に、格納部に格納され耳紐引出部から引き出された市販品不織布マスクの耳紐を通すことで、耳紐を固定可能であることを特徴とする請求項１記載のマスク